(57)【要約】      （修正有）【課題】ボールを撃つ時に発生する衝撃力を効率よく反発力に変換してボールを撃つ時のフィーリングを向上させることができる上、ボールの飛び距離を伸ばし、更に製造においても簡単なゴルフクラブヘッドを提供する。【解決手段】打球面にあたる部分に底面を有する凹孔が形成してある本体１０と、前記凹孔内に取り付けられていてその前面が打球面とされるフェース板１１と、前記フェース板と前記凹孔の底面との間に挟まれているバックアップシート１２とを備えたゴルフクラブヘッド１において、前記凹孔の底面は、前記凹孔の内周縁に沿ってなり且つ孔外へ向かっている環状のつっかい面１４を有するものであって、それで前記バックアップシートを介して前記フェース板の周縁を突っ張りながら、前記バックアップシートの前面を前記フェース板の後面に密接させていることを特徴とするゴルフクラブヘッドを提供する。【選択図】図２
0003118625.tif 000002
【実用新案登録請求の範囲】
【請求項１】
その打球面にあたる部分に底面を有する凹孔が形成してある本体と、前記凹孔内に取り付けられていてその前面が打球面とされるフェース板と、前記フェース板と前記凹孔の底面との間に挟まれているバックアップシートとを備えたゴルフクラブヘッドにおいて、
前記凹孔の底面は、前記凹孔の内周縁に沿ってなり且つ孔外へ向かっている環状のつっかい面を有するものであって、それで前記バックアップシートを介して前記フェース板の周縁を突っ張りながら、前記バックアップシートの前面を前記フェース板の後面に密接させていることを特徴とするゴルフクラブヘッド。
【請求項２】
前記凹孔の底面は、前記つっかい面の環状内が開放になっていて前記バックアップシートの後面の前記つっかい面と前記フェース板の周縁とに挟まれた部分以外を後方へ露出させていることを特徴とする請求項１に記載のゴルフクラブヘッド。
【請求項３】
前記底面の環状内の開放は、前記本体における前記打球面の反対面までに至る上、そこに開けてある開口を通して外界と連通していることを特徴とする請求項２に記載のゴルフクラブヘッド。
【請求項４】
前記バックアップシートは炭素繊維からなったものであることを特徴とする請求項１、２または３に記載のゴルフクラブヘッド。
【考案の詳細な説明】
【技術分野】
【０００１】
本考案は、ゴルフクラブヘッドに関し、特に、打球面からボールへのエネルギー変換効果が高いゴルフクラブヘッドに関する。
【背景技術】
【０００２】
図３（ａ）及び（ｂ）は文献（特許文献１参照）に開示されている従来のゴルフクラブヘッドの構造を示す断面図である。
【０００３】
図示のように、この従来のゴルフクラブヘッド４は、その打球面にあたる部分に凹孔４３が形成してある本体４０と、凹孔４３内に取り付けられていてその前面４ｃが打球面とされるフェース板４１と、凹孔４３内のフェース板４１の後ろに取付けられているバックアップシート４２とを備えたものである。
【０００４】
もっと詳細にみると、凹孔４３の内周縁には２階段の環状つっかい面４ｆ、４ｇが形成してあり、孔外寄りの階段にあるつっかい面４ｆはフェース板４１の周縁を突っ張っており、孔内寄りの階段にあるつっかい面４ｇはバックアップシート４２の周縁を突っ張っており、それにより、フェース板４１はバックアップシート４２をその裏付けとされ、その打球面とされる前面４ｃにかかるボールの衝撃力を効率よく反発力に変換することができる。
【特許文献１】特開２００３−２２５３３２号公報
【考案の開示】
【考案が解決しようとする課題】
【０００５】
しかし、前記のような従来のゴルフクラブヘッド４では、フェース板４１とバックアップシート４２とがそれぞれ異なるつっかい面４ｆ、４ｇに取付けられているので、バックアップシート４２は必ずしもその前面でフェース板４１の後面と密接していず、フェース板４１の前面４ｃにかかるボールの衝撃力を効率よく反発力に変換することができるとは言えない。
【０００６】
前記に鑑みて、本考案はボールを撃つ時に発生する衝撃力を効率よく反発力に変換してボールを撃つ時のフィーリングを向上させることができる上、ボールの飛び距離を伸ばし、更に製造においても簡単なゴルフクラブヘッドを提供することを目的とする。
【課題を解決するための手段】
【０００７】
前記問題を解決するために、本考案は、その打球面にあたる部分に底面を有する凹孔が形成してある本体と、前記凹孔内に取り付けられていてその前面が打球面とされるフェース板と、前記フェース板と前記凹孔の底面との間に挟まれているバックアップシートとを備えたゴルフクラブヘッドにおいて、前記凹孔の底面は、前記凹孔の内周縁に沿ってなり且つ孔外へ向かっている環状のつっかい面を有するものであって、それで前記バックアップシートを介して前記フェース板の周縁を突っ張りながら、前記バックアップシートの前面を前記フェース板の後面に密接させていることを特徴とするゴルフクラブヘッドを提供する。
【０００８】
更に、本考案のゴルフクラブヘッドにおいて、前記凹孔の底面は、前記つっかい面の環状内が開放になっていて前記バックアップシートの後面の前記つっかい面と前記フェース板の周縁とに挟まれた部分以外を後方へ露出させている。そして、前記底面の環状内の開放は、前記本体における前記打球面の反対面までに至る上、そこに開けてある開口を通して外界と連通している。
【考案の効果】
【０００９】
本考案は、つっかい面に段差を設けず、バックアップシートの前面をフェース板の後面に全面的に密接させることによって、ボールを撃つ時にフェース板の前面にかかる衝撃力を効率よく反発力に変換して、ボールを撃つ時のフィーリングを向上させることができる上、ボールの飛び距離を伸ばし、更に製造においても簡単なゴルフクラブヘッドを提供することができる。
【考案を実施するための最良の形態】
【００１０】
図１に示すのは、本考案のゴルフクラブヘッド１である。
このゴルフクラブヘッド１は、その打球面にあたる部分に底面を有する凹孔１３が形成してある本体１０と、凹孔１３内に取り付けられていてその前面１１ａが打球面とされるフェース板１１と、フェース板１１と凹孔１３の底面との間に挟まれているバックアップシート１２とを備えた。
【００１１】
もっと詳細に説明すると、凹孔１３の前記底面は、凹孔１３の内周縁に沿ってなり且つ孔外へ向かっている環状のつっかい面１４を有するものであって、そのつっかい面１４でバックアップシート１２を介してフェース板１１の周縁を突っ張りながら、バックアップシート１２の前面１２ａをフェース板１１の後面１１ｂに密接させている。
【００１２】
また、凹孔１３の底面は、つっかい面１４の環状内が開放部１５を形成し開放になっていて、バックアップシート１２の後面１２ｂのつっかい面１４とフェース板１１の周縁とに挟まれた部分以外を後方へ露出させている。そして、開放部１５は、本体１０における打球面の反対面までに至る上、そこに開けてある開口を通して外界と連通している。
【００１３】
また、バックアップシート１２は炭素繊維からなったものである。
そして、図２に示すように、本考案のゴルフクラブヘッド１において、バックアップシート１２が全面的にフェース板１１と密接しており、ボールを撃つ時にフェース板１１の前面１１ａにかかる衝撃力がほぼ全部バックアップシート１２を経由して反発力に変換されるため、本体１０を経由してプレーヤーに伝わる割合が少なくなって手に与える衝撃力が遥かに軽減され、ボールを撃つ時のフィーリングを向上させることができ、且つボールの飛び距離を伸ばす効果もある。
【００１４】
その上、本考案のゴルフクラブヘッド１を製造する時は、形成されたバックアップシート１２とフェース板１１を順番に凹孔１３に取付けた後、溶接や圧入などの方法でフェース板１１を本体１０の凹孔１３内に固定すれば、本考案のゴルフクラブヘッド１を完成させることができる。フェース板１１を溶接で固定する時、フェース板１１の周縁に本体と接触するところだけ溶接するので、従来のゴルフクラブヘッドの製造より遥かに簡単である。
【産業上の利用可能性】
【００１５】
本考案はボールを撃つ時のフィーリングを向上させることができる上、ボールの飛び距離を伸ばし、更に製造においても簡単なゴルフクラブヘッドを提供することができるため、産業上にかなり有用である。
【図面の簡単な説明】
【００１６】
【図１】本考案のゴルフクラブヘッドの取付け関係を示す断面図である。
【図２】本考案のゴルフクラブヘッドを示す断面図である。
【図３】（ａ）及び（ｂ）は従来のゴルフクラブヘッドの断面図である。
【符号の説明】
【００１７】
１  ゴルフクラブヘッド
１０  本体
１１  フェース板
１１ａ  フェースの前面
１１ｂ  フェース板の後面
１２  バックアップシート
１２ａ  バックアップシートの前面
１２ｂ  バックアップシートの後面
１３  凹孔
１４  つっかい面
１５  開放部
【図１】
0003118625.tif 000003
【図２】
0003118625.tif 000004
【図３】
0003118625.tif 000005